(57)【要約】      （修正有）【課題】ミスト湿潤冷却に用いられる装置または園芸用のミスト湿潤装置に用いられる噴霧装置の構造改良に関する。【解決手段】ミスト湿潤する噴霧装置であって、一つの調整手段が地面に立設されているパイプに組み付けられ、前記調整手段は角度が回転変化される調整部材を備えており、調整手段には噴霧ヘッドが組み付けられており、調整手段が噴霧ヘッドの噴霧方向を調整することを特徴としている。【選択図】図２
2014100671.tif 000002
【特許請求の範囲】
【請求項１】
パイプに連結可能な噴出噴霧装置であって、調整手段を備えており、前記調整手段には噴霧ヘッドが組み付けられており、前記噴霧ヘッドは水をミスト化噴出する機能（ｆｕｎｃｔｉｏｎａｌ ｓｔｅｐ）を備えており、前記調整手段は前記噴霧ヘッドの噴霧方向を調整する機能を提供する（ｍｅａｎｓ ｆｏｒ）、こと特徴とする噴霧装置。
【請求項２】
前記噴霧ヘッドはプランジャと、スペーサと、収容部と、ノズルとを備えており、スペーサは噴霧ヘッドの第２の収容部内に設けられており、前記プランジャは流入通路と吐水通路とを備えており、プランジャの吐水通路の末端は第２の収容部の内側底縁に当接するスペーサを押さえ付けることで、水はパイプからプランジャに流れ込み更にノズルからミスト状の水しぶきとして噴出される、ことを特徴とする請求項１に記載の噴霧装置。
【請求項３】
前記スペーサの中心には凸部を有しており、前記凸部の中心には小さな貫通孔を有しており、前記凸部はノズルの孔の縁部をちょうど押さえ付ける、ことを特徴とする請求項２に記載の噴霧装置。
【請求項４】
前記収容部は第１の収容部と第２の収容部とを有しており、第１の収容部の直径は第２の収容部よりも大径であり、第２の収容部は第１の収容部の内側底部に位置している、ことを特徴とする請求項２に記載の噴霧装置。
【請求項５】
前記第１の収容部の内径部には、第１の調整部材に螺接するに適したねじ溝が設けられている、ことを特徴とする請求項４に記載の噴霧装置。
【請求項６】
前記調整手段が第１の調整部材と第２の調整部材とを備えており、第１の調整部材の一端には雄ねじ部が設けられ、他端には第１の軸管部を有しており、第２の調整部材は第１のスリーブ部と第２の軸管部とを有している、ことを特徴とする請求項１に記載の噴霧装置。
【請求項７】
前記パイプの第２の端部にはジョイントが連結されており、前記ジョイントは第１の連結部と第２の連結部とを有しており、第１の連結部は超音波または螺着方式でパイプの第２の端開口部に連結され、第２の連結部はそれぞれ第２の調整部材の第２の軸管部との連結に供される第２のスリーブ部を有している、ことを特徴とする請求項１に記載の噴霧装置。
【請求項８】
前記第２の連結部の第２のスリーブ部は一つ以上とする、ことを特徴とする請求項７に記載の噴霧装置。
【請求項９】
前記調整手段は少なくとも一つ以上であり、前記調整手段は二段階式で回転可能な調整部材を備えた、ことを特徴とする請求項１に記載の噴霧装置。
【発明の詳細な説明】
【技術分野】
【０００１】
本発明は、ミスト湿潤冷却に用いられる装置または園芸用のミスト湿潤装置に用いられる噴霧装置の構造改良に関する。
【背景技術】
【０００２】
特許文献１のノズルアセンブリのミスト湿潤装置において、ノズル要素で提供されるミスト湿潤装置はポンプ（３）と、吸水パイプ（１）と、吐水ホース（５）と、スプレーガン（６）とを備えており、ポンプ（３）の入口は吸水パイプ（１）に接続されており、ポンプ（３）の出口は吐水ホース（５）の一端に接続されており、吐水ホース（５）の他端はスプレーガン（６）の末端に接続されており、当該ミスト湿潤装置はこの実用新案で提供されるノズル要素を備えており、当該ノズル要素の取付け台座（８）の液体入口はスプレーガン（６）の頭部に接続されている。提供されるノズル要素およびミスト湿潤装置は多方向の散水、かつ均一な散水を実現することができる。
【０００３】
上記発明では、当該ノズル要素が取付け台座（８）と複数のノズル（１２）とを備えており、前記取付け台座（８）は互いに連通する液体入口と複数のノズル取付け部とを備えており、前記複数のノズル（１２）は前記複数のノズル取付け部に対応するように取付けられ、前記複数のノズル（１２）は同一の平面上でかつ均等角度で配置されていることを特徴としている。
【０００４】
上記のごとく、当該ミスト湿潤構造では複数のノズルがなければ所望の散水角度を実現できず、しかも当該ノズルは固定されて回転調整できないものであった。
【先行技術文献】
【特許文献】
【０００５】
【特許文献１】中国特許２０１７５１０１４号
【発明の概要】
【発明が解決しようとする課題】
【０００６】
したがって、本発明の一つの目的は、設けられている調整可能な機器により所望の噴霧方向を実現できる調整構造である角度が調整可能なノズル構造を提供するところにある。
【課題を解決するための手段】
【０００７】
本発明は一端が給水源側に連結されるに適したパイプを備えており、前記パイプは本体ベース部とパイプとを備えており、前記パイプは半径方向に旋回してさらに上方向に延伸する直立管であり、パイプは第１の端開口部と第２の端開口部とを有しており、第１の端開口部には給水源にパイプを連結して挿入するための継ぎ手が組み付けられており、前記第２の端開口部にはジョイントが連結されており、前記ジョイントには調整手段が係合接続されており、前記調整手段は第１の調整部材と第２の調整部材とを備えており、第１の調整部材の一端には雄ねじ部が設けられ、他端には第１の軸管部を有しており、第２の調整部材は第１のスリーブ部と第２の軸管部とを有している。
【０００８】
前記ジョイントは第１の連結部と第２の連結部とを有する三方向のパイプであり、第１の連結部は超音波または螺着方式でパイプの第２の端開口部に連結され、第２の連結部は両側で対称となる第２のスリーブ部を有しており、第２のスリーブ部はそれぞれ第２の調整部材の第２の軸管部との連結に供され、さらには第１の調整部材の第１の軸管部が第２の調整部材の第１のスリーブ部に係合挿入される。
【０００９】
最後に、噴霧ヘッドを第１の調整部材の雄ねじ部に螺接する。このような調整手段により角度を回転変化させて、噴霧ヘッドの噴霧方向を調整する噴霧装置であることを特徴としている。
【図面の簡単な説明】
【００１０】
【図１】噴霧装置の完全な立体図。
【図２】噴霧装置の立体分解図。
【図２−１】噴霧ヘッドのプランジャおよびスペーサの拡大図。
【図３】噴霧ヘッドの拡大断面図。
【図４】調整手段および噴霧ヘッドの拡大断面図。
【図５】噴霧装置の実施模式図。
【図６】噴霧装置の側面視の実施模式図。
【発明を実施するための形態】
【００１１】
ミスト湿潤に用いられる噴霧装置は、図１、２、３、４に示すように、パイプ１と、ジョイント２と、調整手段３と、噴霧ヘッド３５とを備えており、前記パイプ１は第１の端開口部１ａと第２の端開口部１ｂとを有しており、前記第１の端開口部１ａには継ぎ手１１が組み付けられ、前記第２の端開口部１ｂにはジョイント２が組み付けられており、ジョイント２は通常は円管形状の本体を含み、そして一体で直立する第１の連結部２１と第２の連結部２２とを有しており、前記第２の連結部２２は両側で対称となる第２のスリーブ部２２１ａ、２２１ｂを有し、第２のスリーブ部２２１ａ、２２１ｂはそれぞれ第２の調整部材３ｂの第２の軸管部３１との連結に供される。
【００１２】
前記調整手段３は、本発明の実施例においてはそれぞれ第１の調整部材３ａおよび第２の調整部材３ｂの二組の調整部材であるが、ここでは一方側の調整手段３で部材との組付け関係を説明する。前記調整手段３は第１の調整部材３ａおよび第２の調整部材３ｂから構成されており、前記第１の調整部材３ａは湾曲した管体をなし、第１の調整部材３ａは雄ねじ部３４が設けられている第１の端部と、第１の軸管部３３が設けられている第２の端部とを有している。雄ねじ部３４および第１の軸管部３３には液密性のＯリング３４２がそれぞれ装着されており、Ｏリング３４２が雄ねじ部３４の外壁上に装着されることで噴霧ヘッド３５の雌ねじと雄ねじ部３４とを緊締するのに寄与する。
【００１３】
前記第２の調整部材３ｂは湾曲した管体をなしており、第２の調整部材３ｂは第１のスリーブ部３２が設けられている第１の端部と、第２の軸管部３１が設けられている第２の端部とを有している。前記第２の軸管部３１には液密性のＯリング３４２が装着されており、前記第１の調整部材３ａの第１の軸管部３３が第２の調整部材３ｂの第１のスリーブ部３２に係合挿入され、第２の調整部材３ｂの第２の軸管部３１がジョイント２の第２のスリーブ部２２１ａ、２２１ｂに係合挿入される。
【００１４】
第１の調整部材３ａと第２の調整部材３ｂとの結合は図４に示すとおりである。第１の調整部材３ａの第１の軸管部３３は外径部に反し部３３１を有する円錐体であり、前記雄ねじ部３４の末端が第１の拡大部３４１となっており、前記第２の調整部材３ｂの第１のスリーブ部３２内径部はストッパ部３２１を有して外径部に幅部３２２を有している。第１の軸管部３３の円錐体が勢いにより第１のスリーブ部３２に嵌入された後に、反し部３３１がストッパ部３２１に係合し、そして第１の拡大部３４１が幅部３２２に当接することで係合固定が形成される。
【００１５】
第２の調整部材３ｂの第２の軸管部３１は外径部に反し部３１１を有する円錐体であり、ジョイント２の第２のスリーブ部２２１ａ、２２１ｂの開口端の内径部が位置決め部２２２とストッパ部２２３を有している。第２の軸管部３１の円錐体が勢いにより第２のスリーブ部２２１ａ、２２１ｂに嵌入された後に、反し部３１１がストッパ部２２３に係合し、そして第２の拡大部３１２が第２のスリーブ部２２１ａ、２２１ｂに当接することで係合固定が形成される。
【００１６】
前記噴霧ヘッド３５は一般的にカップ状であり略円柱状の外側表面を有しており、第１の収容部３５１と、第２の収容部３５２と、収容部に収容されるのに適したスペーサ３７およびプランジャ３８とを備えてなり、前記噴霧ヘッド３５の外側表面の中心にはスペーサ３７の凸部３７１を位置決めするための貫通孔、つまりノズル３５３が設けられている。前記第１の収容部３５１の内側底部には第２の収容部３５２を備えており、第２の収容部３５２の直径は第１の収容部３５１よりも小径であり、第１の収容部３５１は雌ねじを有しており、前記第２の収容部３５２は内部当接面を有しており、前記内部当接面噴霧ヘッド３５の外側表面を貫通する貫通孔、つまりノズル３５３を有している。
【００１７】
前記プランジャ３８は第１の段差部と第２の段差部とを有しており、第１の段差部は第２の段差部よりも大径であり、第１の段差部は第２の段差部にまで延伸している管部を有しており、第１の段差部は第２の段差部の近傍箇所に流入通路３８１を備えており、前記流入通路３８１は一つ以上であるうえ、分散してリング状で均一に配置されており、前記第２の段差部は一つ以上の吐出通路３８２を備えている。本実施例においては二つの通路はずれて配置されるとともに、第２の段差部の末端表面にまで延伸し湾曲して二つのずれた傾斜通路３８２ａ、３８２ｂを形成しており、前記傾斜通路３８２ａ、３８２ｂの末端はスペーサ３７の凹部外径箇所に当接している。前記吐出通路３８２の通路幅は流入通路３８１よりも狭くなることで、水が流入する収容部内ではプランジャ３８により空間が小さくなり、そして水流は空間形態の変化で大から小となって高圧が発生して、水流はスペーサ３７の小さな孔３７２を経て更にノズル３５３から水圧が瞬間的に解放されてミスト状の水しぶきが発生する。
【００１８】
前記スペーサ３７はディスク体であって、その一つの縁部には円弧凸状である凸部３７１が設けられており、凸部３７１の最大外径はノズル３５３の口径よりも概ね大きく、凸部３７１の最高点における円弧外径がノズル３５３の孔径よりも小さいことで、ノズル３５３の孔の縁部を押さえ付けている。凸部３７１の反対側面が凹部となっており、凸部３７１の中心には小さな孔３７２を有しており、スペーサ３７の外径は概ね第２の収容部３５２の内径よりも小径であることで、スペーサ３７を第２の収容部３５２に組み付けた後に、当接する内側当接面はさらにプランジャ３８で押さえ付けられる。前記小さな孔３７２は水をこの箇所からミスト状の水しぶきとして噴出させることができる。前記プランジャ３８の第１の段差部の末端が第１の調整部材３ａの雄ねじ部３４の内壁壁のフランジ部３４３に当接することで、プランジャ３８が第１の収容部３５１から外れないように固定している。
【００１９】
上記したような部材と組付けにより、図５および図６に示す調整動作が可能となる。第１の調整部材３ａは第２の調整部材３ｂ上で半径方向に回転可能で、第２の調整部材３ｂはジョイント２の第２の連結部２２上で半径方向に回転可能であり、第１の調整部材３ａ上に対向して配設されている噴霧ヘッド３５は多角度で噴霧方向を調整することができる。
【００２０】
本発明の調整手段３は多種類の実施方式があるものであって、本実施例図に限定されない。調整部材はボールバルブを適用してもよく、またはジョイント２と第２の調整部材３ｂとを一体化して、そしてジョイント２の第１の連結部２１を調整する軸スリーブとしてもよく、そして調整部材は一つ以上としてもよい。
【００２１】
本発明の実施例中における調整手段３は二組であることから、第１の調整部材３ａおよび第２の調整部材３ｂもまた二組となり、それぞれジョイント２の第２の連結部２２におけるその第２のスリーブ部２２１ａ、２２１ｂに組付けられている。
【符号の説明】
【００２２】
１ パイプ
１ａ 第１の端開口部
１ｂ 第２の端開口部
１１ 継ぎ手
２ ジョイント
２１ 第１の連結部
２２ 第２の連結部
２２２ 位置決め部
２２１ａ 第２のスリーブ部
２２１ｂ 第２のスリーブ部
２２３ ストッパ部
３ 調整手段
３ａ 第１の調整部材
３ｂ 第２の調整部材
３１ 第２の軸管部
３１１ 反し部
３１２ 第２の拡大部
３２ 第１のスリーブ部
３２１ ストッパ部
３２２ 幅部
３３ 第１の軸管部
３３１ 反し部
３４ 雄ねじ部
３４１ 第１の拡大部
３４２ Ｏリング
３４３ フランジ部
３５ 噴霧ヘッド
３５１ 第１の収容部
３５２ 第２の収容部
３５３ ノズル
３７ スペーサ
３７１ 凸部
３７２ 孔
３８ プランジャ
３８１ 流入通路
３８２ 吐出通路
３８２ａ 傾斜通路
３８２ｂ 傾斜通路
【図１】
2014100671.tif 000003
【図２】
2014100671.tif 000004
【図２−１】
2014100671.tif 000005
【図３】
2014100671.tif 000006
【図４】
2014100671.tif 000007
【図５】
2014100671.tif 000008
【図６】
2014100671.tif 000009